(57)【要約】    【課題】グリップと釣人の手との間の滑りが確実に防止された釣竿の提供。    【解決手段】この釣竿１０は、釣竿本体１１とグリップ１２とを備える。グリップ１２は、グリップ本体２０と固定リング２１，２２とを備える。固定リング２１、２２は元節１７に固定され、グリップ本体２０は、固定リング２１、２２間に挟持される。グリップ本体２０は、開口部２６を有し、元節１７は、開口部２６から露出している。グリップ本体２０は、元節１７に対して相対的に回転可能である。グリップ本体２０と元節１７との間には隙間が形成されている。【選択図】図１
2005095098.tif 000002
【特許請求の範囲】
【請求項１】
釣竿本体の釣人が把持する部分に当該釣人の手のひら側を挟持する挟持機構が備えられている釣竿。
【請求項２】
釣竿本体と、
釣人が把持するためのグリップとを有し、
互いに弾性的に近接／離反する一対の挟持部材がグリップの周面に露出している釣竿。
【請求項３】
上記一対の挟持部材は、上記釣竿本体の長手方向に沿って配置された棒状部材の中央部に当該長手方向に延びるスリットが形成されることにより構成されている請求項２に記載の釣竿。
【請求項４】
釣人が把持するための筒状に形成されたグリップに釣竿本体が長手方向に貫通配置されることによって構成される釣竿であって、
グリップは、釣竿本体を露出させるための開口部を有し、且つ釣竿本体に対して周方向に回転可能に設けられており、
グリップの内周面と釣竿本体の外周面との間に所定の隙間が形成されている釣竿。
【請求項５】
グリップは、
釣竿本体に固定される一対のグリップ固定具と、
両端部を各グリップ固定具によって回転可能に支持されたグリップ本体とを備えている請求項４に記載の釣竿。
【請求項６】
釣竿本体に配置され、釣人が把持するためのグリップを備えた釣竿であって、
グリップは、当該グリップの外周面の少なくとも一部を構成するコイルバネを有し、
当該コイルバネは、当該グリップの長手方向に沿って弾性的に伸縮可能に配置されている釣竿。
【請求項７】
上記グリップは、上記釣竿本体に外嵌され、当該釣竿本体を露出させるための開口部を備えた筒状のグリップ本体を有し、
上記コイルバネは、上記釣竿本体に外嵌された状態でグリップ本体の内部に配置されており、且つコイルバネの一端部は、グリップ本体の一端部に固定されている請求項６に記載の釣竿。
【請求項８】
上記釣竿本体に釣人が把持し得るリング部材が当該釣竿本体の長手方向に沿ってスライド可能に外嵌されており、
上記コイルバネの他端部は、リング部材に固定されている請求項７に記載の釣竿。
【発明の詳細な説明】
【技術分野】
【０００１】
本発明は、釣竿の構造、より具体的には、釣人が把持するグリップの構造に関するものである。
【背景技術】
【０００２】
釣人は、釣竿を把持し、これを操作することによって、ルアーやベイトのキャスト、ライン姿勢の修正やリーリング、ターゲットフィッシュがバイトしたときのアクション及びリアクション等を行う。したがって、釣竿は、実釣時においてきわめて重要な役割を果たすのであるが、釣竿の性能が十分に発揮されるためには、当該釣竿が釣人によって確実に把持されるものであることが必要である。つまり、釣人の手と釣竿との間に容易に滑りが生じないように対策が講じられる必要がある。そのため、従来の釣竿では、釣人が把持する部分（一般に「グリップ」と称される。）は、種々の滑止処理が施されている（例えば、特許文献１参照）。
【０００３】
【特許文献１】特開２００３−１１６４２１号
【発明の開示】
【発明が解決しようとする課題】
【０００４】
従来の一般的な滑止処理は、例えば釣竿のグリップの表面に微小突起が多数設けられること等により行われている。このような滑止処理によって所定の滑止効果が得られているが、それでもなお実釣においては、より効果的な滑止効果が要請されている。
【０００５】
そこで、本発明の目的は、グリップと釣人の手との間の滑りが確実に防止される釣竿を提供することである。
【課題を解決するための手段】
【０００６】
(1) 従来の釣竿では、グリップ等釣竿本体側の表面が加工等されることによって、釣人の手と釣竿本体との間の静摩擦係数が増大され、これにより滑止効果が発揮されるという手法が採用されていたが、本願発明者は、さらに積極的に釣竿側に釣人の手を保持することができる手段が設けられることによって、一層効果的で確実な滑止効果が得られるのではないかと考えた。
【０００７】
(2) そこで、上記目的が達成されるため、本発明に係る釣竿は、釣竿本体の釣人が把持する部分に当該釣人の手のひら側を挟持する挟持機構が備えられていることを特徴とするものである。
【０００８】
従来の滑止効果を得るための手段は、前述のように釣竿本体側の表面を加工等することであったが、上記構成では、釣竿本体を握った釣人の手のひら側を挟持機構が直接に挟持する。したがって、釣竿本体と釣人の手とは、確実に所定の連結力で連結される。
【０００９】
(3) 具体的には、本発明に係る釣竿は、釣竿本体と、釣人が把持するためのグリップとを有し、互いに弾性的に近接／離反する一対の挟持部材がグリップの周面に露出していることを特徴とするものである。
【００１０】
この構成によれば、釣人は、グリップを握ることによって釣竿本体を操作することができる。このとき、釣人が一対の挟持部材を一旦離反させたうえでグリップを握ることにより、当該一対の挟持部材は、弾性的に近接する。釣人は、実釣において一般にグローブを使用するため、釣人がグリップを握ったときには、グローブの生地が上記一対の挟持部材間に自動的に挟み込まれる。なお、釣人がグローブを使用しないときは、釣人の手の肉が上記一対の挟持部材間に挟み込まれる。
【００１１】
ここで、上記一対の挟持部材は、上記釣竿本体の長手方向に沿って配置された棒状部材の中央部に当該長手方向に延びるスリットが形成されることにより構成され得る。
【００１２】
この場合、弾性的に近接又は離反する一対の挟持部材がきわめて簡単に構成されるという利点がある。
【００１３】
(4) また、上記目的が達成されるため、本発明に係る釣竿は、釣人が把持するための筒状に形成されたグリップに釣竿本体が長手方向に貫通配置されることによって構成される釣竿であって、グリップは、釣竿本体を露出させるための開口部を有し、しかも釣竿本体に対して周方向に回転可能に設けられており、さらに、グリップの内周面と釣竿本体の外周面との間に所定の隙間が形成されていることを特徴とするものである。
【００１４】
この構成によれば、当該釣竿は、釣竿本体の所定部に筒状のグリップが被せられることによって構成される。つまり、筒状のグリップは、その内部を釣竿本体が貫通した状態となる。グリップには開口部が設けられていることから釣竿本体がグリップから露出し、しかも、釣竿本体とグリップとの間に所定の隙間が生じる。釣人は、実釣において、このグリップを把持するが、釣人は、一般にグローブを使用するため、釣人がグリップを握ったときには、グローブの生地が上記隙間に入り込む。この状態でグリップが釣竿本体に対して回転されると、グローブの生地は上記隙間に食い込む。なお、釣人がグローブを使用しないときは、釣人の手の肉が上記隙間に入り込み、グリップが釣竿本体に対して回転されると、釣人の手の肉が上記隙間に食い込む。
【００１５】
特に、上記グリップは、釣竿本体に固定される一対のグリップ固定具と、両端部を各グリップ固定具によって回転可能に支持されたグリップ本体とを備えて構成され得る。
【００１６】
この構成では、一対のグリップ固定具が釣竿の所定部に固定され、このグリップ固定具に支持されるようにグリップ本体が配置される。つまり、グリップ固定具を介してグリップ本体が釣竿本体に装着されることになるから、釣竿本体に対するグリップの位置決めが容易且つ正確に行われる。しかも、例えばグリップ固定具に対してグリップ本体が単に嵌め込まれるだけで、グリップ本体が釣竿本体に対して回転可能に支持されるから、グリップが釣竿本体に対して相対回転するための機構がきわめて簡単に構成されるという利点がある。
【００１７】
(5) さらに、上記目的が達成されるため、本発明に係る釣竿は、釣竿本体に配置され、釣人が把持するためのグリップを備えた釣竿であって、グリップは、当該グリップの外周面の少なくとも一部を構成するコイルバネを有し、当該コイルバネは、当該グリップの長手方向に沿って弾性的に伸縮可能に配置されていることを特徴とするものである。
【００１８】
この構成によれば、グリップの外周面の少なくとも一部がコイルバネにより構成されているから、グローブを装着した釣人がグリップを握る際に、予めコイルバネを弾性的に伸長させることにより、弾性的に縮短するコイルバネの各条間にグローブの生地が自動的に挟持される。なお、釣人がグローブを使用しないときは、釣人の手の肉が上記各条間に挟み込まれる。
【００１９】
特に、上記グリップは、グリップ本体と、これに設けられたコイルバネとを有して構成される。グリップ本体は、上記釣竿本体に外嵌され、当該釣竿本体を露出させるための開口部を備えた筒状に形成される。上記コイルバネは、上記釣竿本体に外嵌された状態でグリップ本体の内部に配置され、且つコイルバネの一端部は、グリップ本体の一端部に固定される。
【００２０】
この構成では、コイルバネがグリップ本体の内部に配置されるので、釣竿本体は、グリップ本体の内部を貫通すると同時にコイルバネの内部を貫通することになる。当該コイルバネは、グリップ本体の一端部に固定されて他端部側へ弾性的に伸長し縮短する。つまり、釣竿本体の長手方向に沿って弾性的に伸長し縮短する。グリップ本体には開口部が設けられているから、釣竿本体及びコイルバネは、グリップ本体から露出する。グローブを装着した釣人がグリップを握るとき、予めコイルバネを弾性的に伸長させることにより、釣人がグリップ本体を把持した状態で、グローブの生地が弾性的に縮短するコイルバネの各条間に自動的に挟まれる。なお、釣人がグローブを使用しないときは、釣人の手の肉が上記各条間に挟み込まれる。このように、コイルバネがグリップ本体に設けられることにより、釣人は、容易にコイルバネを伸長させることができる。
【００２１】
さらに、上記釣竿本体に釣人が把持し得るリング部材が当該釣竿本体の長手方向に沿ってスライド可能に外嵌され、上記コイルバネの他端部がこのリング部材に固定された構造が採用されてもよい。
【００２２】
この構成では、釣人は、リング部材を持ってコイルバネを伸長させることができるので、グリップを握る際に予めコイルバネを伸長させる作業が一層容易なものとなる。
【発明の効果】
【００２３】
以上のように本発明によれば、釣人が釣竿を把持する際に、グローブを装着している場合は、当該グローブの生地が釣竿本体側に係合し、また、グローブを装着していない場合は、釣人の手の肉が釣竿本体側に係合するので、釣人の手と釣竿との間に容易に滑りが生じることがなく、釣人は、当該釣竿を意のままに操作することができる。
【発明を実施するための最良の形態】
【００２４】
以下、適宜図面が参照されつつ、好ましい実施形態に基づいて本発明が詳細に説明される。
【００２５】
＜第１の実施形態＞
図１は、本発明の第１の実施形態に係る釣竿１０の正面図である。
この釣竿１０は、いわゆるインナーガイドタイプである。釣竿１０は、釣竿本体１１と、グリップ１２とを備えている。グリップ１２は、釣人が釣竿１０を保持する際に実際に釣竿１０を把持する部分であり、後述の要領により釣竿本体１１に装着されている。本実施形態では、グリップ１２は、リールシートを兼ねている。本実施形態に係る釣竿１０の特徴とするところは、グリップ１２の構造にあり、このグリップ１２が後に詳述される構造を備えることによって、釣人がグリップ１２を握った際に、釣竿１０が積極的に釣人の手を挟持する点である。これにより、釣竿１０と釣人の手との間に滑りが生じることがなく、釣人は、確実に釣竿１０を把持することができるようになっている。
【００２６】
まず、釣竿本体１１は、５つの筒状部材１３〜１７から構成されている。各筒状部材１３〜１７は、それぞれ「節」と称され、釣竿本体１１の先端側から順に第１番節１３、第２番節１４と称される。第４番節１６は、特に「元上節」と称され、第５番節１７は、特に「元節」と称される。各節１３〜１７は、既知の要領で構成される。例えば、炭素繊維強化樹脂（カーボンプリプレグ）が所定形状に裁断され、これがマンドレルに巻回されて筒状に焼成されることによって、円筒状の節１３〜１７が形成される。なお、この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００２７】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３を第２番節１４から引き出した際に、第１番節１３の後端部分が第２番節１４の先端部分とかみ合って両者が固定されるようになっている。なお、第２番節１４と第３番節１５との関係及び第３番節１５と元上節１６との関係も同様である。
【００２８】
また、第２番節１４ないし元節１７の先端部には、当該部分の剛性を向上させ、隣り合う節のかみ合いを確実なものとするために、リングＲ１〜Ｒ４が装着されている。さらに、元上節１６の先端側の所定位置には図示しない釣糸導入孔が設けられており、この釣糸導入孔に釣糸を導くための導入ガイド１９が取り付けられている。なお、上記トップガイド１８及び導入ガイド１９は、既知の構成であるので、その詳しい説明は省略される。
【００２９】
図２は、釣竿１０の要部拡大分解正面図であり、グリップ１２の構造を詳細に示している。
グリップ１２は、全体として筒状に形成されており、元節１７を囲繞するように当該元節１７に嵌め込まれている。すなわち、グリップ１２は、グリップ本体２０と、グリップ本体２０を元節１７に対して位置決めするための固定リング２１、２２（グリップ固定具）とを備えており、元節１７は、グリップ１２を貫通しており、グリップ１２は、元節１７の所定位置に配置されている。
【００３０】
グリップ本体２１は、円筒状に形成されており、例えばポリブチレンテレフタレート（ＰＢＴ）やナイロン等の樹脂のほか金属等により構成されている。前述のようにグリップ１２はリールシートを兼ねている。このリールシートは、釣用リール（図示せず）を着脱自在に保持するためのものであって、リール載置部２３と、固定フード部２４と、可動フード２５とを備えている。リール載置部２３及び固定フード部２４は、グリップ本体２１と共に一体的に形成されており、可動フード２５は、リール載置部２３に沿ってスライドし、固定フード部２３に対して近接し、離反するようになっている。そして、釣用リールの脚部が固定フード部２３と可動フード２５との間に挟み込まれることによって、当該釣用リールは、リールシートに固定される。
【００３１】
図３は、図２におけるIII−矢視図であり、図４は、図３におけるIV-IV断面図である。
図２及び図３が示すように、グリップ本体２０は、開口部２６を備えている。したがって、グリップ本体２０が元節１７に装着された状態で、元節１７は、開口部２６から露出している。また、グリップ本体２０の内径寸法は元節１７の外径寸法に対応して所定寸法に設定されている。したがって、図４が示すように、グリップ本体２０と元節１７との間（より詳細には、グリップ本体２０の内周面と元節１７の外周面との間）に隙間ｄが形成されている。この隙間ｄは、本実施形態では３．５ｍｍに設定されているが、この寸法ｄは、２．０ｍｍ〜５．０ｍｍの範囲で適宜設定され得るものである。
【００３２】
固定リング２１は、例えばアルミニウム合金等の金属から構成されている。図２が示すように、固定リング２１は、円筒状のリング本体２７と、リング本体２７に設けられた笠状の頭部２８とを有し、両者は、一体的に形成されている。固定リング２１の内径寸法は、元節１７の外径寸法に対応されており、元節１７が固定リング２１の内部に隙間なく挿通されている。リング本体２７の外径寸法は、上記グリップ本体２０の内径寸法に対応されており、リング本体２７は、グリップ本体２０の内部に隙間なく挿通されている。さらに、頭部２８は、テーパ状に形成されており、その最大外径寸法は、グリップ本体２１の端面の外径寸法と略一致されている。なお、固定リング２２は、固定リング２１と同様の構造であるので、その説明は省略される。
【００３３】
各固定リング２１、２２は、元節１７の所定位置に固定される。固定リング２１、２２の固定手段は、例えば接着剤等が採用され得る。グリップ本体２０は、これら固定リング２１、２２の間に挟み込まれるようにして配置され、各固定リング２１、２２のそれぞれのリング本体２７は、グリップ本体２０の両端部に挿入される。これにより、グリップ本体２０は、リング本体２１、２２によって軸方向まわりに回転可能に支持される。すなわち、グリップ本体２０は、元節１７に対して軸方向に回転可能な状態となる。
【００３４】
釣人は、上記リールシートに釣用リールを装着し、グリップ１２を把持することによって、当該釣竿１０を操作することができる。このとき、グリップ１２から元節１７の一部が露出しており、しかも、元節１７とグリップ１２との間に隙間ｄが形成されていることから、釣人は、グリップ１２を把持した状態でグリップ１２を回転させることにより、釣人の手が上記隙間に食い込む。したがって、釣人の手とグリップ１２との間で容易に滑りが生じることがなく、釣人は、快適な実釣を行うことができる。特に、実釣時においては、釣人はフィッシンググローブを着用する場合があるが、そのような場合に、釣人がグリップ１２を把持した状態でグリップ１２を回転させると、フィッシンググローブの一部が上記隙間に食い込むので、釣人の手とグリップ１２との間で生じる滑りが確実に防止される。したがって、釣人は、一層快適な実釣を実現することができる。
【００３５】
特に、本実施形態では、元節１７に固定された固定リング２１、２２によってグリップ本体２０が回転自在に支持されるから、元節１７に対するグリップ１２の位置決めが容易且つ正確に行われるという利点がある。しかも、グリップ本体２０が元節１７に対するグリップ本体２０の回転を許容する機構がきわめて簡単且つ安価に構成されるという利点もある。
【００３６】
なお、本実施形態では、グリップ１２は、グリップ本体２０と固定リング２１、２２とを有し、固定リング２１、２２に対してグリップ本体２０が回転するように構成されているが、これに限定されるものではなく、グリップ１２が元節１７に対して回転可能な状態で直接装着されていてもよいことは勿論である。また、本実施形態では、グリップ本体２０に設けられた開口部２６の形状は、単純な長方形状であるが、これに限定されるものではなく、釣人がグリップ本体２０を把持した際に握りやすい形状が採用されていてもよい。
【００３７】
＜第２の実施形態＞
次に、本発明の第２の実施形態について説明される。
図５は、本発明の第２の実施形態に係る釣竿３０の要部拡大斜視図であり、グリップ３１の構造が示されている。また、図６は、グリップ３１の一部断面拡大平面図である。
【００３８】
本実施形態に係る釣竿３０が上記第１の実施形態に係る釣竿１０と異なるところは、グリップ３１の構造である。すなわち、上記第１の実施形態に係る釣竿１０では、グリップ本体２０が元節１７に対して回転可能に設けられていたのに対し、本実施形態に係る釣竿３０では、グリップ３１は、元節１７に固定されており、且つグリップ３１の外周面の一部がコイルバネ３２によって構成されている点である。なお、その他の構成については、上記第１の実施形態に係る釣竿１０と同様である。
【００３９】
グリップ３１は、グリップ本体３３と、固定リング３４、３５と、コイルバネ３２とを備えている。グリップ本体３３は、上記第１の実施形態に係るグリップ本体２０と同様に、樹脂や金属等からなり、円筒状に形成されている。また、グリップ本体３３には、リールシートが一体的に形成されている。このリールシートの構造は、上記釣竿１０のリールシートと同様である。グリップ本体３３は、開口部３６を有し、上記第１の実施形態と同様に元節１７がグリップ本体３３を貫通している。したがって、元節１７は、グリップ本体３３から露出している。
【００４０】
固定リング３４は、上記第１の実施形態に係る固定リング２１と同様の形状であり、元節１７に装着され、且つグリップ本体３３の端部に嵌め込まれている。一方、固定リング３５は、上記第１の実施形態に係る固定リング２２と略同様の形状に形成されているが、図６が示すように、リング本体３７の内径寸法は、元節１７の外径寸法よりも大きく設定されている。このため、固定リング２２のリング本体３７の内周面と元節１７の外周面との間にバネ収容部３８が形成されている。
【００４１】
コイルバネ３２には元節１７が貫通されており、この状態でコイルバネ３２が上記バネ収容部３８に挿入されている。すなわち、コイルバネ３２は、その一端部３９が固定リング３５に挿通固定された状態で元節１７を囲繞するように配置されている。また、コイルバネ３２は、その他端部４１にリング部材４０を備えている。リング部材４０は、例えば樹脂や金属等からなり、円環状に形成されている。元節１７は、このリング部材４０を貫通しており、コイルバネ３２の他端部４１は、リング部材４０に固定されている。したがって、リング部材４０は、元節１７に沿ってスライド自在となっており、リング部材４０が元節１７に対してスライドすることによって、コイルバネ３２は、弾性的に伸縮する。つまり、コイルバネ３２を構成する各条は、互いに近接し、離反する。
【００４２】
本実施形態においても、釣人は、上記リールシートに釣用リールを装着し、グリップ３１を把持することによって、当該釣竿３０を操作することができる。本実施形態では、グリップ３１の外周面の一部がコイルバネ３２により構成されているから、釣人がグリップ３１を握る際に、予めコイルバネ３２を矢印４２の方向（図５参照）に弾性的に伸長させることにより、コイルバネ３２の各条間に釣人の手が挟み込まれる。釣人がフィッシンググローブを装着している場合は、フィッシンググローブの生地が各条間に挟持される。これにより、釣人の手とグリップ３１との間で容易に滑りが生じることがなく、釣人は、快適な実釣を行うことができる。
【００４３】
特に、本実施形態では、元節１７にリング部材４０が嵌め込まれており、釣人は、このリング部材４０を把持して元節１７に沿ってスライドさせることによって、簡単にコイルバネ３２を伸長させることができる。したがって、釣人がグリップ３１を握った際に、容易にフィッシンググローブがコイルバネ３２の各条間に挟み込まれるという利点がある。
【００４４】
本実施形態では、グリップ本体３３の内部にコイルバネ３２が装着された構造が採用されているが、これに限定されるものではなく、グリップ本体３３とは別にコイルバネ３２が元節１７に装着されていてもよい。
【００４５】
＜第３の実施形態＞
次に、本発明の第３の実施形態について説明される。
図７は、本発明の第３の実施形態に係る釣竿４５の要部拡大斜視図であり、グリップ４６の構造が示されている。
【００４６】
本実施形態に係る釣竿４５が上記第１の実施形態に係る釣竿１０と異なるところは、グリップ４６の構造であり、グリップ４６は、開口部を有しない筒状に形成され、且つ元節１７に固定されている点、及びグリップ４６には、後述される挟持機構５４が設けられている点である。具体的には、グリップ４６には、細長棒状に形成された連結部材４７が設けられており、これが挟持機構５４を構成している。なお、その他の構成については、上記第１の実施形態に係る釣竿１０と同様である。
【００４７】
グリップ４６は、グリップ本体４８と、固定リング２１、２２と、上記連結部材４７とを備えている。グリップ本体４８は、上記第１の実施形態に係るグリップ本体２０と同様に、樹脂や金属等からなり、円筒状に形成されている。また、グリップ本体３３には、リールシートが一体的に形成されている。このリールシートの構造は、上記釣竿１０のリールシートと同様である。さらに、固定リング２１、２２は、元節１７の所定位置に固定され、グリップ本体４８は、これら固定リング２１、２２に支持された状態で固定されている。
【００４８】
グリップ本体４８の上記リールシートが設けられた側の反対側に座部４９が形成されている。この座部４９は、上記連結部材４７を安定的に配置するためのものであって、本実施形態では、同図が示すように平坦な面として構成されている。もっとも、この座部４９は省略されていてもよい。
【００４９】
連結部材４７は、フラットバーから構成されており、本実施形態では、同図が示すように一対の連結部材４７が座部４９上で対向配置されている。もっとも、連結部材４７は１つのみ設けられていてもよいし、さらに多数設けられていてもよいことは勿論である。各連結部材４７は、その基端部５３が上記座部４９に固着されている。この固着手段としては、例えば接着剤等が採用され得る。
【００５０】
各連結部材４７は、樹脂や金属等によって構成され、それぞれ、一対の挟持部材５０、５１を備えている。ただし、本実施形態では、連結部材４７の中央に長手方向に沿って延びるスリット５２が形成されており、これにより、上記一対の挟持部材５０、５１が構成されている。したがって、各挟持部材５０、５１は、互いに弾性的に近接し、又は離反することができ、両者間に例えば釣人の手等が挿入されたときは、所定の弾性力によって当該釣人の手等が挟持されるようになっている。
【００５１】
本実施形態においても、釣人は、上記リールシートに釣用リールを装着し、グリップ４６を把持することによって、当該釣竿４５を操作することができる。このとき、挟持機構５４は、グリップ４６を握った釣人の手を挟持する。釣人がフィッシンググローブを装着している場合には、このフィッシンググローブの生地が挟持機構５４によって挟持される。したがって、グリップ４６と釣人の手とは、確実に所定の連結力で連結される。つまり、グリップ４６が積極的に釣人の手のひら側を挟み込むことになるので、釣人の手とグリップ４６との間に容易に滑りが生じることはなく、釣人は、快適な実釣を行うことができる。
【００５２】
特に本実施形態では、釣人は、一対の挟持部材５０、５１を一旦離反させたうえでグリップ４６を握ることにより、これら挟持部材５０、５１が弾性的に近接し、自動的に釣人の手はグリップ４６と連結される。したがって、釣人の手とグリップ４６との間の滑止がきわめて簡単であるという利点がある。加えて、一対の挟持部材５０、５１は、フラットバーからなる連結部材４７にスリット５２が設けられることにより形成されるから、一対の挟持部材５０、５１の弾性的変位を実現するための構造がきわめて簡単であり、当該挟持機構５４が安価に構成されるという利点もある。
【００５３】
なお、本実施形態では、挟持機構５４は、上記連結部材４７により構成されているが、かかる構造に限定されるものではなく、要するに、釣人の手ないし釣人が装着したフィッシンググローブの生地に係合するものであれば、他の構造が採用されてもよいことは勿論である。また、本実施形態では、釣竿本体１１（具体的には元節１７）にグリップ４６が別部材として装着される構造が開示されているが、グリップが元節１７と一体的に形成された構造が採用されてもよい。
【産業上の利用可能性】
【００５４】
本発明は、釣竿一般に適用され得る。
【図面の簡単な説明】
【００５５】
【図１】図１は、本発明の第１の実施形態に係る釣竿の正面図である。
【図２】図２は、本発明の第１の実施形態に係る釣竿の要部拡大分解正面図である。
【図３】図３は、図２におけるIII−矢視図である。
【図４】図４は、図３におけるIV-IV断面図である。
【図５】図５は、本発明の第２の実施形態に係る釣竿の要部拡大斜視図である。
【図６】図６は、本発明の第２の実施形態に係る釣竿の一部断面拡大平面図である。
【図７】図７は、本発明の第３の実施形態に係る釣竿の要部拡大斜視図である。
【符号の説明】
【００５６】
ｄ・・・隙間
１０・・・釣竿
１１・・・釣竿本体
１２・・・グリップ
１７・・・元節
２０・・・グリップ本体
２１・・・固定リング
２２・・・固定リング
２６・・・開口部
２７・・・リング本体
２８・・・頭部
３０・・・釣竿
３１・・・グリップ
３２・・・コイルバネ
３３・・・グリップ本体
３４・・・固定リング
３５・・・固定リング
３６・・・開口部
３７・・・リング本体
３８・・・バネ収容部
３９・・・コイルバネの一端部
４０・・・リング部材
４１・・・コイルバネの他端部
４５・・・釣竿
４６・・・グリップ
４７・・・連結部材
４８・・・グリップ本体
５０・・・挟持部材
５１・・・挟持部材
５２・・・スリット
５４・・・挟持機構
【図１】
2005095098.tif 000003
【図２】
2005095098.tif 000004
【図３】
2005095098.tif 000005
【図４】
2005095098.tif 000006
【図５】
2005095098.tif 000007
【図６】
2005095098.tif 000008
【図７】
2005095098.tif 000009